(57)【要約】【課題】  ペットが車室後部から車室前部に移動して運転者の運転操作の妨げになるのを簡単な構造で阻止する。【解決手段】  帯状に形成したネット１５の左右両側縁１５ａに設けられた側縁被係止部１５ｅ，１５ｆを、左右の前席１２のシートクッション２６およびシートバック２８に設けられた側縁係止部２７，２９，３１に係止することで、左右の前席１２に挟まれた空間にネット１５が着脱自在に張設される。車室後部１４のペットが車室前部１３に移動するのをネット１５により阻止しながら、ペットを車室後部１４で自由に遊ばせたり、左右の前席１２に挟まれた空間にペットを留めて前席１２の乗員とのコミュニケーションをとったりすることができる。またネット１５はペットを乗せないときに簡単に取り外しが可能であるために邪魔にならず、ネット１５を取り付けたままにしても、ネット１５に物を置いたり物を引っ掛けたりするのに利用することができる。【選択図】        図１
2014103938.tif 000002
【特許請求の範囲】
【請求項１】
自動車の左右の前席（１２）に挟まれた空間にネット（１５）を着脱自在に張設することで、ペットが車室後部（１４）から車室前部（１３）に移動するのを阻止するペット用パーティションであって、
帯状に形成した前記ネット（１５）の左右両側縁（１５ａ）に設けられた側縁被係止部（１５ｅ，１５ｆ）と、前記左右の前席（１２）のシートクッション（２６）およびシートバック（２８）に設けられて前記側縁被係止部（１５ｅ，１５ｆ）を係止可能な側縁係止部（２７，２９，３１）とを備えることを特徴とするペット用パーティション。
【請求項２】
前記左右の前席（１２）に挟まれたフロア（１１）に沿って配置されるペット用シート（１６）を備えることを特徴とする、請求項１に記載のペット用パーティション。
【請求項３】
前記ネット（１５）の前縁（１５ｂ）に設けられた前縁被係止部（１５ｇ）と、前記ペット用シート（１６）の前部に設けられて前記前縁被係止部（１５ｇ）を係止可能な前縁係止部（１９）とを備えることを特徴とする、請求項２に記載のペット用パーティション。
【請求項４】
前記ネット（１５）の長手方向中間部に設けられた扉（１５ｄ）と、前記扉（１５ｄ）の下端に設けられた扉用被係止部（１５ｈ）と、前記扉用被係止部（１５ｈ）を係止可能な扉用係止部（２５）とを備えることを特徴とする、請求項２または請求項３に記載のペット用パーティション。
【請求項５】
前記左右の前席（１２）の前記シートクッション（２６）とフロア（１１）との間に配置された潜り抜け防止バー（３２）を備えることを特徴とする、請求項１〜請求項４の何れか１項に記載のペット用パーティション。
【発明の詳細な説明】
【技術分野】
【０００１】
本発明は、自動車の左右の前席に挟まれた空間にネットを着脱自在に張設することで、ペットが車室後部から車室前部に移動するのを阻止するペット用パーティションに関する。
【背景技術】
【０００２】
自動車の左右の前席のうちの助手席を取り外し、助手席が設けられていた位置にペットを収納可能な箱体を取り付けることで、ペットが運転者の運転操作の邪魔になるのを防止するものが、下記特許文献に従来技術として記載されている。
【先行技術文献】
【特許文献】
【０００３】
【特許文献１】特開平１０−３１５８６６号公報
【発明の概要】
【発明が解決しようとする課題】
【０００４】
しかしながら、上記特許文献１に記載されたものは、ペットを乗車させるために助手席を取り外して箱体を取り付ける作業が甚だ面倒であるだけでなく、狭い箱体に閉じこめられたペットがストレスを受ける問題があった。
【０００５】
本発明は前述の事情に鑑みてなされたもので、ペットが車室後部から車室前部に移動して運転者の運転操作の妨げになるのを簡単な構造で阻止することを目的とする。
【課題を解決するための手段】
【０００６】
上記目的を達成するために、請求項１に記載された発明によれば、自動車の左右の前席に挟まれた空間にネットを着脱自在に張設することで、ペットが車室後部から車室前部に移動するのを阻止するペット用パーティションであって、帯状に形成した前記ネットの左右両側縁に設けられた側縁被係止部と、前記左右の前席のシートクッションおよびシートバックに設けられて前記側縁被係止部を係止可能な側縁係止部とを備えることを特徴とするペット用パーティションが提案される。
【０００７】
また請求項２に記載された発明によれば、請求項１の構成に加えて、前記左右の前席に挟まれたフロアに沿って配置されるペット用シートを備えることを特徴とするペット用パーティションが提案される。
【０００８】
また請求項３に記載された発明によれば、請求項２の構成に加えて、前記ネットの前縁に設けられた前縁被係止部と、前記ペット用シートの前部に設けられて前記前縁被係止部を係止可能な前縁係止部とを備えることを特徴とするペット用パーティションが提案される。
【０００９】
また請求項４に記載された発明によれば、請求項２または請求項３の構成に加えて、前記ネットの長手方向中間部に設けられた扉と、前記扉の下端に設けられた扉用被係止部と、前記扉用被係止部を係止可能な扉用係止部とを備えることを特徴とするペット用パーティションが提案される。
【００１０】
また請求項５に記載された発明によれば、請求項１〜請求項４の何れか１項の構成に加えて、前記左右の前席の前記シートクッションとフロアとの間に配置された潜り抜け防止バーを備えることを特徴とするペット用パーティションが提案される。
【００１１】
尚、実施の形態の膨出部１５ｅおよび係止ループ１５ｆは本発明の側縁被係止部に対応し、実施の形態のカバー部材２７、フック２９および支柱３１は本発明の側縁係止部に対応し、実施の形態の係止紐１５ｇは本発明の前縁被係止部に対応し、実施の形態のフック１９は本発明の前縁係止部に対応し、実施の形態の係止ループ１５ｈは本発明の扉用被係止部に対応し、実施の形態のフック２５は本発明の扉用係止部に対応する。
【発明の効果】
【００１２】
請求項１の構成によれば、帯状に形成したネットの左右両側縁に設けられた側縁被係止部を、左右の前席のシートクッションおよびシートバックに設けられた側縁係止部に係止することで、左右の前席に挟まれた空間にネットを着脱自在に張設する。車室後部のペットが左右の前席の間を通って車室前部に移動するのをネットにより阻止しながら、ペットを車室後部で自由に遊ばせたり、左右の前席に挟まれた空間にペットを留めて前席の乗員とのコミュニケーションをとったりすることができる。またネットはペットを乗せないときに簡単に取り外しが可能であるために邪魔にならず、ネットを取り付けたままにしても、ネットのシートクッションに固定された部分に物を置いたり、ネットのシートバックに固定された部分に物を引っ掛けたりするのに利用することができる。
【００１３】
また請求項２の構成によれば、左右の前席に挟まれたフロアに沿って配置されるペット用シートを備えるので、ペット用シートに乗ったペットの居心地が良くなるだけでなく、ペット用シートの下方のフロアの汚れを防止することができる。
【００１４】
また請求項３の構成によれば、ネットの前縁に設けられた前縁被係止部と、ペット用シートの前部に設けられて前縁被係止部を係止可能な前縁係止部とを備えるので、前縁被係止部を前縁係止部に係止することで、ペットがネットの前部を通り抜けて車室前部に移動するのを確実に阻止することができる。
【００１５】
また請求項４の構成によれば、ネットの長手方向中間部に設けられた扉と、扉の下端に設けられた扉用被係止部と、扉用被係止部を係止可能な扉用係止部とを備えるので、ペットを左右の前席間の空間に入れた状態で扉用被係止部を扉用係止部に係止して扉を閉じることで、ペットを左右の前席間の空間に留めて車室後部および車室前部に移動するのを阻止することができる。
【００１６】
また請求項５の構成によれば、左右の前席のシートクッションとフロアとの間に配置された潜り抜け防止バーを備えるので、小さいペットが前席の下を潜って車室後部から車室前部に移動するのを潜り抜け防止バーにより阻止することができる。
【図面の簡単な説明】
【００１７】
【図１】自動車の車室内の斜視図。
【図２】図１の２方向矢視図。
【図３】図２の３−３線断面図。
【図４】図２の４−４線断面図。
【図５】ネットの展開図。
【図６】ペット用シートの斜視図。
【発明を実施するための形態】
【００１８】
以下、図１〜図６に基づいて本発明の実施の形態を説明する。
【００１９】
図１に示すように、自動車の車室のフロア１１上に左右の前席１２，１２と後席（不図示）とが設けられており、左右の前席１２，１２に挟まれた空間にペット用パーティションＰが着脱自在に設けられる。ペット用パーティションＰにより自動車の車室が車室前部１３および車室後部１４に仕切られており、車室後部１４のペットが左右の前席１２，１２間の空間を通って車室前部１３に移動するのが阻止される。
【００２０】
図２〜図６に示すように、ペット用パーティションＰはネット１５およびペット用シート１６を備える。
【００２１】
図５から明らかなように、合成樹脂等で構成されたネット１５は左右の側縁１５ａ，１５ａ、前縁１５ｂおよび後縁１５ｃを有して帯状に形成されており、その前後方方向中間部から四角形の扉１５ｄが分岐する。各側縁１５ａの前半部には膨出部１５ｅが設けられ、各側縁１５ａの後半部には３個の紐製の係止ループ１５ｆ…が設けられる。膨出部１５ｅは、棒状のスポンジを布片で包んだものを側縁１５ａに沿って縫製して構成される。膨出部１５ｅ，１５ｅおよび係止ループ１５ｆ…は本発明の側縁被係止部を構成する。またネット１５の前縁１５ｂに係止紐１５ｇの左右両端が固定されるとともに、ネット１５の扉１５ｄの左右両下端には一対の紐製の係止ループ１５ｈ，１５ｈが固定される。係止紐１５ｇは本発明の前縁被係止部を構成し、係止ループ１５ｈ，１５ｈは本発明の扉用被係止部を構成する。
【００２２】
図６から明らかなように、ペット用シート１６は金属製あるいは合成樹脂製のフレーム１７を備える。フレーム１７は前部が上方に立ち上がるように屈曲した左右一対の縦フレーム１７ａ，１７ａと、左右の縦フレーム１７ａ，１７ａの前端間を接続する前部取付ブラケット１７ｂと、左右の縦フレーム１７ａ，１７ａの後端間を接続する後部取付ブラケット１７ｃと、左右の縦フレーム１７ａ，１７ａの上方屈曲部の上端間を接続するクロスメンバ１７ｄとを一体に結合して構成される。フレーム１７は布製の被覆１８により覆われており、その前端には１個のフック１９が固定される。フック１９は本発明の前縁係止部を構成する。
【００２３】
図２および図４から明らかなように、前部取付ブラケット１７ｂおよび後部取付ブラケット１７ｃには各々２個のボルト孔１７ｅ，１７ｅが形成されており、前部取付ブラケット１７ｂのボルト孔１７ｅ，１７ｅは左右の前席１２，１２の車幅方向内側の２本のシートレール２０，２０に設けられた前部ステー２１，２１にボルト２２，２２で締結されるとともに、後部取付ブラケット１７ｃのボルト孔１７ｅ，１７ｅは前記シートレール２０，２０に設けられた後部ステー２３，２３にボルト２４，２４で締結される。前記シートレール２０，２０の後端には左右一対のフック２５，２５（図１および図４参照）が設けられる。フック２５，２５は本発明の扉用係止部を構成する。
【００２４】
図３および図４から明らかなように、前席１２のシートクッション２６の車幅方向内側の側面は、カバー部材２７で覆われており、カバー部材１７の上縁とシートクッション２６の前記側面との間に隙間が形成される。前席１２のシートバック２８の背面の車幅方向内端には各２個のフック２９，２９が設けられる。また前席１２のヘッドレスト３０は２本の支柱３１，３１でシートバック２８の上面に支持される。カバー部材２７、フック２９，２９および車幅方向内側の支柱３１は本発明の側縁係止部を構成する。
【００２５】
図１および図４から明らかなように、前席１２の左右のシートレール２０，２０の後端間に、車幅方向に延びる潜り抜け防止バー３２の両端がボルト３３，３３で固定される。潜り抜け防止バー３２は必ずしも必要ではなく、乗車するペットが小型であって前席１２の下方を通過して車室後部１４から車室前部１３に移動する可能性がある場合に使用される。
【００２６】
次に、上記構成を備えた本発明の実施の形態の作用を説明する。
【００２７】
ペット用パーティションＰを車室内に取り付けるには、先ず、ペット用シート１６の前部取付ブラケット１７ｂをシートレール２０，２０の前部ステー２１，２１にボルト２２，２２で締結するとともに、ペット用シート１６の後部取付ブラケット１７ｃをシートレール２０，２０の後部ステー２３，２３にボルト２４，２４で締結することで、ペット用シート１６を左右の前席１２，１２に挟まれたフロア１１に沿うように固定する。
【００２８】
続いて、ネット１５の前縁被係止部である係止紐１５ｇをペット用シート１６の前部に設けた前縁係止部であるフック１９に係止し、ネット１５の左右の側縁被係止部である膨出部１５ｅ，１５ｅを弾性変形させながら、前席１２，１２のシートクッション２６，２６の側面を覆う側縁係止部であるカバー部材２７，２７の内側に込むことで係止し（図４参照）、かつネット１５の側縁被係止部である左右各３個の係止ループ１５ｆ…を左右の前席１２，１２の側縁係止部であるフック２９…および支柱３１，３１にそれぞれ係止することで、ネット１５を左右の前席１２，１２のシートクッション２６，２６およびシートバック２８，２８間の空間に張設する。
【００２９】
このとき、ネット１５の扉１５ｄは閉じずに開いておいても良いし、扉用被係止部である係止ループ１５ｈ，１５ｈを扉用係止部であるフック２５，２５に係止することで閉じておいても良い。
【００３０】
上述のようにしてペット用パーティションＰを取り付けると、車室後部１４のペットはペット用パーティションＰのネット１５に阻止されて車室前部１３に移動することができず、ペットが運転席に着座した運転者の運転の妨げになることが防止される。またペットは車室後部１４を自由に移動することができるので動きを束縛されてストレスを受けることもなく、ペットが開いた扉１５ｄを通過して左右の前席１２，１２のシートクッション２６，２６間のペット用シート１６上に移動すれば、左右の前席１２，１２の乗員との間でコミュニケーションをとることができる。この状態で扉１５ｄを閉じればペットが車室後部１４を自由に動き回るのを防止することができる。ペット用シート１６は居心地が良いためにペットは動きを拘束されてもストレスを受け難いだけでなく、ペット用シート１６により、その下方のフロア１１が汚れるのを防止することができる。また予め扉１５ｄを閉じておけば、車室後部１４のペットがペット用シート１６上に移動するのを阻止することもできる。
【００３１】
ペット用パーティションＰは、車体に孔を開ける等の特別の加工や、助手席を取り外す等の大がかりな作業を必要とせずに着脱が可能であるため、利便性に優れている。特にネット１５は極めて簡単に着脱可能であるため、ペットを乗せないときに取り外しておくことができるだけでなく、ネット１５を常時取り付けておき、左右の前席１２，１２のシートクッション２６，２６間に挟まれたネット１５の水平部分に物を置いたり、左右の前席１２，１２のシートバック２８，２８間に挟まれたネット１５の鉛直部分に物を引っ掛けたりするのに利用することができる。
【００３２】
以上、本発明の実施の形態を説明したが、本発明はその要旨を逸脱しない範囲で種々の設計変更を行うことが可能である。
【００３３】
例えば、実施の形態のペット用パーティションＰはペット用シート１６を備えているが、ペット用シート１６は必ずしも必要ではなく、省略することも可能である。
【００３４】
またネット１５を固定する被係止部および係止部の構造は実施の形態に限定されず、任意の係止構造を採用することができる。
【符号の説明】
【００３５】
１１        フロア
１２        前席
１３        車室前部
１４        車室後部
１５        ネット
１５ａ      側縁
１５ｂ      前縁
１５ｄ      扉
１５ｅ      膨出部（側縁被係止部）
１５ｆ      係止ループ（側縁被係止部）
１５ｇ      係止紐（前縁被係止部）
１５ｈ      係止ループ（扉用被係止部）
１６        ペット用シート
１９        フック（前縁係止部）
２５        フック（扉用係止部）
２６        シートクッション
２７        カバー部材（側縁係止部）
２８        シートバック
２９        フック（側縁係止部）
３１        支柱（側縁係止部）
３２        潜り抜け防止バー
【図１】
2014103938.tif 000003
【図２】
2014103938.tif 000004
【図３】
2014103938.tif 000005
【図４】
2014103938.tif 000006
【図５】
2014103938.tif 000007
【図６】
2014103938.tif 000008